(57)【要約】【課題】管理者の作業負荷を軽減するとともに、より低コストに輸送品の環境情報を記録する。【解決手段】輸送品３の環境情報をＩＣタグ２に記録する環境情報記録サーバ７であって、環境情報を記憶する環境情報記憶手段７３と、所定のタイミングで、前記輸送品３の環境情報を計測するセンサノード１から、環境情報を受信する受信手段と、受信手段が受信した環境情報を、環境情報記憶手段７３に記憶する書込手段と、環境情報記憶手段７３に記憶された環境情報を、輸送品３に添付した前記ＩＣタグ２に送信する送信手段と、を有する。【選択図】  図１
2006176295.tif 000002
【特許請求の範囲】
【請求項１】
輸送品の環境情報を記録する環境情報記録システムであって、
環境情報を計測するセンサノードと、環境情報を管理するサーバと、前記輸送品各々に添付されるＩＣタグと、を有し、
前記センサノードは、
少なくとも１つの輸送品が梱包された梱包体に設置され、
所定のタイミングで、前記輸送品の環境情報を計測する計測手段と、
前記計測した環境情報を、前記サーバに送信するセンサ送信手段と、を有し、
前記サーバは、
前記環境情報を記憶する環境情報記憶手段と、
前記センサノードから前記環境情報を受信する受信手段と、
前記受信手段が受信した前記環境情報を、前記環境情報記憶手段に記憶する書込手段と、
前記環境情報記憶手段に記憶された環境情報を、前記ＩＣタグ各々に送信するサーバ送信手段と、を有し、
前記ＩＣタグ各々は、
前記サーバから環境情報を受信し、当該ＩＣタグが有するメモリに受信した環境情報を記録する記録手段と、を有すること
を特徴とする環境情報記録システム。
【請求項２】
請求項１記載の環境情報記録システムであって、
前記環境情報は、温度、湿度または振動のいずれかであって、
前記センサノードの計測手段は、温度、湿度または振動のいずれかを計測すること
を特徴とする環境情報記録システム。
【請求項３】
請求項１記載の環境情報記録システムであって、
前記環境情報は、温度、湿度および振動を含み、
前記センサノードの計測手段は、温度と、湿度と、振動とを含む環境情報を計測すること
を特徴とする環境情報記録システム。
【請求項４】
請求項１記載の環境情報記録システムであって、
複数の前記センサノードを有し、各センサノードは複数の前記梱包体各々に設置され、
前記サーバは、
前記センサノード各々と前記ＩＣタグ各々とを対応付ける対応情報記憶手段を、さらに有し、
前記サーバ送信手段は、前記対応情報記憶手段を参照して、前記ＩＣタグ各々に対応するセンサノードの環境情報を前記環境情報記憶手段から抽出し、前記ＩＣタグ各々に送信すること
を特徴とする環境情報記録システム。
【請求項５】
請求項１記載の環境情報記録システムであって、
前記センサノードのセンサ送信手段は、前記環境情報を暗号化して前記サーバに送信すること
を特徴とする環境情報記録システム。
【請求項６】
請求項１記載の環境情報記録システムであって、
前記センサノードは、前記計測手段が計測した環境情報を記憶するセンサ記憶手段を、さらに有し
前記センサ送信手段は、前記計測手段が計測した環境情報、または、前記センサ記憶手段に記憶された環境情報を、前記サーバに送信すること
を特徴とする環境情報記録システム。
【請求項７】
輸送品の環境情報をＩＣタグに記録する環境情報記録サーバであって、
前記環境情報を記憶する環境情報記憶手段と、
所定のタイミングで、前記輸送品の環境情報を計測するセンサノードから、前記環境情報を受信する受信手段と、
前記受信手段が受信した前記環境情報を、前記環境情報記憶手段に記憶する書込手段と、
前記環境情報記憶手段に記憶された環境情報を、前記輸送品に添付した前記ＩＣタグに送信する送信手段と、を有すること
を特徴とする環境情報記録サーバ。
【請求項８】
輸送品の環境情報を記録する環境情報記録システムにおける環境情報記録方法であって、
前記環境情報記録システムは、環境情報を計測するセンサノードと、環境情報を管理するサーバと、前記輸送品各々に添付されるＩＣタグと、を有し、
前記センサノードは、
少なくとも１つの輸送品が梱包された梱包体に設置され、
所定のタイミングで、前記輸送品の環境情報を計測する計測ステップと、
前記計測した環境情報を、前記サーバに送信するセンサ送信ステップと、を行い、
前記サーバは、
前記環境情報を記憶する環境情報記憶部と、処理部とを有し、
前記処理部は、
前記センサノードから前記環境情報を受信する受信ステップと、
前記受信した環境情報を、前記環境情報記憶部に記憶する書込ステップと、
前記環境情報記憶部に記憶された環境情報を、前記ＩＣタグ各々に送信するサーバ送信ステップと、を行い、
前記ＩＣタグ各々は、
前記サーバから環境情報を受信し、当該ＩＣタグが有するメモリに受信した環境情報を記録する記録ステップと、を行うこと
を特徴とする環境情報記録方法。
【請求項９】
請求項８記載の環境情報記録方法であって、
前記センサノードは、
前記計測ステップにおいて計測した環境情報を、当該センサノードが有するセンサ記憶部に記憶するセンサ記憶ステップを、さらに行い、
前記センサ送信ステップは、前記計測ステップで計測した環境情報、または、前記センサ記憶部に記憶された環境情報を、前記サーバに送信すること
を特徴とする環境情報記録方法。
【請求項１０】
輸送品の環境情報を記録する環境情報記録システムにおいて、環境情報記録サーバが実行する環境情報記録方法であって、
前記環境情報記録システムは、環境情報を計測するセンサノードと、前記環境情報記録サーバと、前記輸送品各々に添付されるＩＣタグと、を有し、
前記環境情報記録サーバは、前記環境情報を記憶する環境情報記憶部と、処理部と、を有し、
前記処理部は、
所定のタイミングで、前記輸送品の環境情報を計測するセンサノードから、前記環境情報を受信する受信ステップと、
前記受信した前記環境情報を、前記環境情報記憶部に記憶する書込ステップと、
前記環境情報記憶部に記憶した環境情報を、前記輸送品に添付した前記ＩＣタグに送信する送信ステップと、を実行すること
を特徴とする環境情報記録サーバ。
【請求項１１】
輸送品の環境情報を記録する環境情報記録システムにおいて、環境情報記録サーバが実行する環境情報記録プログラムであって、
前記環境情報記録システムは、環境情報を計測するセンサノードと、前記環境情報記録サーバと、前記輸送品各々に添付されるＩＣタグと、を有し、
前記環境情報記録サーバは、前記環境情報を記憶する環境情報記憶部と、処理部と、を有し、
前記処理部に、
所定のタイミングで、前記輸送品の環境情報を計測するセンサノードから、前記環境情報を受信する受信ステップと、
前記受信した前記環境情報を、前記環境情報記憶部に記憶する書込ステップと、
前記環境情報記憶部に記憶した環境情報を、前記輸送品に添付した前記ＩＣタグに送信する送信ステップと、を実行させること
を特徴とする環境情報記録プログラム。
【請求項１２】
輸送品の環境情報を記録する環境情報記録システムにおいて、環境情報記録サーバが実行する環境情報記録プログラムを記憶した記録媒体であって、
前記環境情報記録システムは、環境情報を計測するセンサノードと、前記環境情報記録サーバと、前記輸送品各々に添付されるＩＣタグと、を有し、
前記環境情報記録サーバは、前記環境情報を記憶する環境情報記憶部と、処理部と、を有し、
前記処理部に、
所定のタイミングで、前記輸送品の環境情報を計測するセンサノードから、前記環境情報を受信する受信ステップと、
前記受信した前記環境情報を、前記環境情報記憶部に記憶する書込ステップと、
前記環境情報記憶部に記憶した環境情報を、前記輸送品に添付した前記ＩＣタグに送信する送信ステップと、を実行させること
を特徴とする環境情報記録プログラムが記憶された記録媒体。
【発明の詳細な説明】
【技術分野】
【０００１】
本発明は、輸送品の環境情報を記録する技術に関し、特に、ＩＣタグを用いて輸送品の環境情報を記録する技術に関する。
【背景技術】
【０００２】
近年、食品など商品に対する安全性の関心が高まりつつある。そのため、市場に流通する商品を生産場所から販売場所までトラックなどにより輸送する場合、商品の品質を劣化させないように、移動中または保管中の商品の温度などを適切に制御する必要がある。そして、商品価値を高めるために、実際に流通過程における商品の温度変化などを記録し、管理する技術が求められている。
【０００３】
例えば、非特許文献１には、商品の温度変化を感知し、記憶する温度記録システムが記載されている。
【非特許文献１】“ボタン型クールメモリー”、[online]、［平成１６年１１月９日検索］、インターネット＜ＵＲＬ：http://www.sshouse.jp/goods/button_type.html＞
【発明の開示】
【発明が解決しようとする課題】
【０００４】
非特許文献１の温度記録システムでは、温度変化を感知するセンサおよびメモリを備えた記録計を、商品などの輸送品に添付する。そして、この記録計が、輸送品の温度を自動的にメモリに記録する。
【０００５】
しかしながら、この記録計は高価であるため、多数の輸送品各々に記録計を添付することは、コストの観点から難しい。また、記録計のメモリに記憶されたデータを読み出すには、専用の読取り機に記録計を接触させてデータを読み出すため、管理者の作業負荷が大きい。
【０００６】
本発明は上記事情に鑑みてなされたものであり、本発明の目的は、管理者の作業負荷を軽減するとともに、より低コストに輸送品の環境情報を記録することにある。
【課題を解決するための手段】
【０００７】
上記課題を解決するために、例えば、第１の発明では、輸送品の環境情報を記録する環境情報記録システムであって、環境情報を計測するセンサノードと、環境情報を管理するサーバと、輸送品各々に添付されるＩＣタグと、を有する。そして、センサノードは、少なくとも１つの輸送品が梱包された梱包体に設置され、所定のタイミングで、輸送品の環境情報を計測する計測手段と、計測した環境情報を前記サーバに送信するセンサ送信手段と、を有する。サーバは、環境情報を記憶する環境情報記憶手段と、センサノードから環境情報を受信する受信手段と、受信手段が受信した環境情報を、環境情報記憶手段に記憶する書込手段と、環境情報記憶手段に記憶された環境情報を、ＩＣタグ各々に送信するサーバ送信手段と、を有する。ＩＣタグ各々は、サーバから環境情報を受信し、当該ＩＣタグが有するメモリに受信した環境情報を記録する記録手段と、を有する。
【０００８】
また、第２の発明では、輸送品の環境情報をＩＣタグに記録する環境情報記録サーバであって、環境情報を記憶する環境情報記憶手段と、所定のタイミングで、前記輸送品の環境情報を計測するセンサノードから、環境情報を受信する受信手段と、受信手段が受信した環境情報を、環境情報記憶手段に記憶する書込手段と、環境情報記憶手段に記憶された環境情報を、輸送品に添付した前記ＩＣタグに送信する送信手段と、を有する。
【発明の効果】
【０００９】
本発明により、管理者の作業負荷を軽減し、より低コストに輸送品の環境情報を記録することができる。
【発明を実施するための最良の形態】
【００１０】
以下、本発明の実施の形態について説明する。
【００１１】
図１は、本発明の一実施形態が適用された環境情報記録システムの全体構成図である。
【００１２】
図示する環境情報記録システムは、センサノード１と、ＩＣタグ２と、センサノード送受信器５と、ＩＣタグ送受信器６と、サーバ７と、を有する。
【００１３】
梱包体４は、少なくとも１つの輸送品３を輸送するために梱包（収納）したものである。梱包体４は、例えば、飲み物の入ったボトル（輸送品３）を収めるケースや、輸送品３を載せるパレットなどである。そして、各梱包体４には、センサノード１が付加（設置）されている。センサノード１は、梱包体４の環境情報（温度、湿度、衝撃など）を計測（感知）し、サーバ７に送信する機器である。なお、センサノード１については後述する。
【００１４】
梱包体に収納された輸送品は、市場に流通する商品（例えば、食品）などの荷物である。そして、輸送品各々には、ＩＣタグ２が添付されている。ＩＣタグ２は、物品の識別・管理に利用される微小な無線ＩＣチップである。ＩＣタグ２は、識別コードなどを記憶するメモリを有し、ＩＣタグ送受信器６と無線通信により（非接触で）、データの送受信を行う。また、ＩＣタグ２は、バッテリ（電池）を持たず、ＩＣタグ送受信器６から電磁誘導または電磁伝搬などにより非接触で給電される。なお、ＩＣタグ２の通信距離は周波数１３．５６ＭＨｚのものでは数十ｃｍ、９００ＭＨｚ帯のものでは数ｍである。また、ＩＣタグ２は、バッテリを持たず半永久的に使用でき、かつ、低コストである。
【００１５】
なお、各梱包体４は、例えば、保管時では倉庫などに、輸送時ではトラックの荷台（収納庫）などに、保管または収納されている。
【００１６】
センサノード送受信器５は、サーバ７と接続され、サーバ７の制御によりセンサノード１と無線でデータの送受信を行う。センサノード送受信器５は、アンテナと、通信用モジュールと、サーバ７との接続インタフェースと、を有する。
【００１７】
ＩＣタグ送受信器６は、ＩＣタグ２のリーダ／ライタであって、サーバ７の制御によりＩＣタグ２に記憶されたデータを読み出すとともに、データをＩＣタグ２に書き込む。ＩＣタグ送受信器６は、アンテナと、通信モジュールと、サーバ７との接続インタフェースとを有する。
【００１８】
サーバ７は、センサノード１が計測した環境情報を管理し、また、環境情報をＩＣタグ２に記録する。サーバ７は、処理部７１と、記憶部７２とを有する。処理部７１は、センサノード送受信器５を介して環境情報を取得し、記憶部７２の環境情報テーブル７３に記憶する。また、処理部７１は、環境情報テーブル７３に記憶された環境情報をＩＣタグ２に記録する。記憶部７２には、環境情報が記憶された環境情報テーブル７３と、センサノードとＩＣタグとを対応付けた対応テーブル７４とが記憶されている。なお、環境情報テーブル７３および対応テーブル７４については、後述する。
【００１９】
次に、センサノード１について、詳細に説明する。
【００２０】
図２は、センサノード１の構成を示した図である。センサノード１は、図示するように、センサ１１と、ＣＰＵ１２と、メモリ１３と、無線通信モジュール１４と、を有する。センサ１１は、バッテリで駆動し、少なくとも１つの環境情報を計測する。環境情報は、輸送品の保管環境を評価するための指標であって、例えば、温度、湿度、振動などである。したがって、図示するセンサ１１は、例えば、温度を検知する温度センサ、湿度を検知する湿度センサ、衝撃を検知する振動センサ、または、これらを組み合わせた複合センサなどである。
【００２１】
ＣＰＵ１２は、センサ１１、メモリ１３および無線通信モジュール１４を制御する。すなわち、ＣＰＵ１２がメモリ１３に記憶された所定のプログラムを実行することにより、センサノード１の機能が実現される。メモリ１３には、所定のプログラムと、必要に応じてセンサ１１が計測した環境情報とが記憶される。無線通信モジュール１４は、環境情報を無線通信によりサーバ７に送信する。無線通信としては、無線ＬＡＮ、小電力無線、微弱無線、ＺＩＧＢＥＥ、ＢＬＵＥＴＯＯＴＨなどを利用することできる。なお、これらの無線通信の場合、通信距離は数ｍから数十ｍである。
【００２２】
次に、サーバ７のハードウェア構成について説明する。
【００２３】
サーバ７は、例えば図３に示すようなＣＰＵ９１と、メモリ９２と、外部記憶装置９３と、インタフェース装置９４と、これらの各装置を接続するバス９５と、を備えた汎用的なコンピュータシステムを用いることができる。インタフェース装置９４は、センサノード送受信器５およびＩＣタグ送受信器６と接続ため装置であって、例えば、シリアルポート、パラレルポート、ＬＡＮポート、ＵＳＢポート、ＣＦカードスロットなどを用いることができる。
【００２４】
このコンピュータシステムにおいて、ＣＰＵ９１がメモリ９２上にロードされた所定のプログラムを実行することにより、サーバ７の各機能が実現される。すなわち、サーバ７の各機能は、ＣＰＵ９１がサーバ用のプログラムを実行することにより実現される。なお、サーバ７の記憶部７２には、メモリ９２または外部記憶装置９３が用いられる。また、サーバ７は、図示しない入力装置および出力装置を備えることとしてもよい。
【００２５】
次に、サーバ７の記憶部７２に記憶された環境情報テーブル７３および対応テーブル７４について説明する。
【００２６】
図４は、環境情報テーブル７３の一例を示す図である。環境情報テーブル７３は、センサノードＩＤ７３１と、時刻７３２と、各種の環境情報７３３〜７３５とを有する。センサノードＩＤ７３１は、各センサノード１を識別するための識別情報である。時刻７３２は、センサ１１が各種の環境情報を計測（感知）した時刻である。環境情報としては、図示する環境情報テーブル７３の場合、温度７３３と、湿度７３４と、衝撃７３５とを有する。
【００２７】
図５は、対応テーブル７４の一例を示す図である。対応テーブル７４は、センサノード１とＩＣタグ２とを対応付けるテーブルである。図示する対応テーブル７４は、センサノードＩＤ７４１と、ＩＣタグＩＤ７４２とを有する。センサノードＩＤ７４１は、前述のとおり、各センサノード１を識別するための識別情報である。ＩＣタグＩＤ７４２は、各ＩＣタグ２を識別するための識別情報である。
【００２８】
図示する対応テーブル７４では、例えば、センサノードＩＤ７４１「Ａ」には、ＩＣタグＩＤ７４２「ＡＡ１」から「ＡＡ５」が対応付けられている。すなわち、センサノードＩＤ「Ａ」のセンサノード１が設置された梱包体４には、ＩＣタグＩＤ「ＡＡ１」から「ＡＡ５」の５個のＩＣタグ２がそれぞれ添付された５つの輸送品３が収納されていることを示している。
【００２９】
次に、環境情報記録システムの処理について説明する。
【００３０】
図６は、環境情報記録システムの処理フロー図である。まず、サーバ７の処理部７１は、対応テーブル７４（図５参照）を生成し、記憶部７２に記憶する（Ｓ１）。すなわち、処理部７１は、可搬型のＩＣタグ送受信器６を用いて、各梱包体４に収納されたＩＣタグ２各々のＩＣタグＩＤを読み取る。そして、処理部７１は、梱包体４毎に読み取った各ＩＣタグＩＤと、管理者が入力手段を用いて入力したセンサノードＩＤとを対応付けて対応テーブル７４を生成する。
【００３１】
そして、サーバ７の処理部７１は、所定のタイミングで（例えば、一時間毎に）、各センサノード１から環境情報を取得し、記憶部７２の環境情報テーブル７３（図４参照）に記憶する（Ｓ２）。
【００３２】
すなわち、各センサノード１は、所定のタイミングでセンサノードＩＤと、時刻と、各種の環境情報とを含むセンサメッセージを、センサノード送受信器５に送信する。なお、センサノードＩＤは、あらかじめセンサノード１のメモリ１３に記憶されているものとする。時刻は、センサノード１に搭載された時計・カレンダー機能から取得する。各種の環境情報は、センサノード１のセンサ１１が所定のタイミングで計測（感知）したデータ（例えば、温度、湿度、衝撃など）である。
【００３３】
なお、センサメッッセージを送信できない場合、センサノード１は、センサメッセージを一旦メモリ１３に記憶するものとする。そして、センサノード１は、送信可能な状態になったときに、所定のタイミングで計測した現時点のセンサメッセージ、および、メモリ１３に記憶された過去のセンサメッセージを、一緒に送信することとしてもよい。
【００３４】
そして、センサノード送受信器５は、各センサノード１からセンサメッセージを受信し、受信したセンサメッセージをサーバ７に送出する。そして、サーバ７の処理部７１は、センサノード送受信器５から各センサメッセージを受け付け、記憶部７２の環境情報テーブル７３に記憶（追加）する。このように、各センサノード１が所定のタイミングで計測した環境情報を環境情報テーブル７３に記憶することにより、輸送品３の保管状態または輸送状態を、一元的に管理することができる。
【００３５】
なお、センサメッセージを送信する際に、センサノード１は、秘密鍵暗号方式または公開鍵暗号方式などの暗号化技術を用いてセンサメッセージを暗号化する。暗号化されたセンサメッセージを受信したサーバ７の処理部７１は、所定の鍵を用いてセンサメッセージを復号し、環境情報テーブル７３に記憶（追加）する。これにより、なりすましやセンサメッセージの改ざんを防止することができる。
【００３６】
また、センサノード１は、センサメッセージにデジタル署名を付加することにより、なりすましやセンサメッセージの改ざんを防止することとしてもよい。すなわち、センサノード１は、センサメッセージをセンサノードの秘密鍵で暗号化したデジタル署名を生成し、センサメッセージとともに送信する。センサメッセージおよびデジタル署名を取得したサーバ７の処理部７１は、デジタル署名をセンサノード１の公開鍵で復号し、センサメッセージと一致するか否かを検証する。
【００３７】
そして、サーバ７の処理部７１は、ＩＣタグ送受信器６を介して、ＩＣタグ２からＩＣタグＩＤを受信し、当該ＩＣタグＩＤに対応する環境情報を、送信元のＩＣタグに記録（送信）する（Ｓ３）。以下に、Ｓ３の処理を詳細に説明する。
【００３８】
図７は、Ｓ３に示すＩＣタグ２への環境情報の記録処理の処理フロー図である。
【００３９】
まず、ＩＣタグ２は、ＩＣタグ送受信器６と通信範囲内に近づいた場合、メモリに記憶されたＩＣタグＩＤをＩＣタグ送受信器６に送信する（Ｓ３１）。なお、ＩＣタグ２の通信範囲は、数十ｃｍから長いもので数ｍである。ＩＣタグ送受信器６は、ＩＣタグ２各々からＩＣタグＩＤを受信し、サーバ７に送出する（Ｓ３２）。
【００４０】
サーバ７の処理部７１は、各ＩＣタグＩＤを受信する（Ｓ３３）。そして、処理部７１は、ＩＣタグＩＤ毎に、記憶部７２の対応テーブル７４を参照して、当該ＩＣタグＩＤに対応するセンサノードＩＤを特定する（Ｓ３４）。そして、処理部７１は、ＩＣタグＩＤ毎に、記憶部７２の環境情報テーブル７３を参照し、Ｓ３４で特定したセンサノードＩＤを有する全てのレコードを抽出する（Ｓ３５）。そして、処理部７１は、ＩＣタグＩＤ毎に、Ｓ３５で抽出したレコードの時刻７３２と、環境情報７３３〜７３５とを含む記録メッセージをＩＣタグ送受信器６に送出する（Ｓ３６）。
【００４１】
そして、ＩＣタグ送受信器６は、サーバ７から受信した記録メッセージを、ＩＣタグIＤを送信したＩＣタグ２各々に送信する（Ｓ３７）。そして、ＩＣタグ２は、受信した記録メッセージをメモリに記録する（Ｓ３８）。これにより、各ＩＣタグ２には、センサノード１が計測した時刻と、当該時刻の環境情報とが、履歴として記録される。なお、１つの梱包体４内のＩＣタグ２各々には、共通のセンサノード１が計測した環境情報が記憶される。そのため、１つの梱包体４内のＩＣタグ２各々には、同じ内容の環境情報が記録されている。
【００４２】
以上説明した、ＩＣタグ２への環境情報の記録処理（図７）が行われるタイミングを、図８を用いて説明する。
【００４３】
図８は、ＩＣタグ送受信器６がＩＣタグ２に環境情報を書き込む処理を、模式的に示した図である。一般的にＩＣタグ２の通信距離は数十ｃｍから長いもので数ｍである。例えば、梱包体４が倉庫に搬入または倉庫から搬出される際に、梱包体４は、倉庫の入り口付近に設置されたＩＣタグ送受信器６の近傍を通過する。この時に、図７に示す処理が行われ、ＩＣタグ送受信器６はＩＣタグ２にデータを書き込む。
【００４４】
以上、本発明の一実施形態を説明した。
【００４５】
本実施形態の環境情報記録システムでは、梱包体４に設置したセンサノード１が計測した環境情報を、サーバ７を介して、輸送品３に付加されたＩＣタグ２に記録する。これにより、管理者の作業負荷を軽減することができる。
【００４６】
また、本環境情報記録システムでは、安価なＩＣタグ２を用いている。そのため、大量の輸送品３各々にＩＣタグ２を付加した場合であっても、コストの急激な増加を抑えることができる。
【００４７】
また、本実施形態の実施形態では、サーバ７の環境情報テーブル７３に、各センサノード１が所定のタイミングで計測した環境情報を記憶する。これにより、各輸送品３の保管状態または輸送状態を、一元的に管理することができる。
【００４８】
また、本実施形態では、センサメッセージを送信する際に、センサノード１は、暗号化技術または認証技術を用いてセンサメッセージを暗号化またはデジタル署名を付加する。これにより、不正な第３者がセンサノード１になりすますことや、センサメッセージの改ざんを防止することができる。
【００４９】
また、本実施形態では、輸送品（商品）が消費者の手に渡るまでの保管環境や輸送環境をＩＣタグ２に記録する。輸送品の販売者は、ＩＣタグ２に記憶された環境情報を、輸送品とともに消費者に提供することにより、輸送品の品質を保証し、商品価値を高めることができる。
【００５０】
また、ＩＣタグ２には、センサノード１が計測した時刻毎に環境情報が記録されている。これにより、輸送品３の品質が劣化した場合、不適切な環境の流通工程を特定し、責任の所在を明確するとともに、対応策を検討することができる
なお、本発明は上記の実施形態に限定されるものではなく、その要旨の範囲内で数々の変形が可能である。例えば、トラックの荷台（荷室、コンテナ等）に、環境情報記録システムを搭載することとしてもよい。
【００５１】
図９は、トラックの荷台８に搭載された環境情報記録システムを示したものである。図示する環境情報記録システムは、図１に示す環境情報記録システムと同様に、各梱包体４に設置されたセンサノード１と、梱包体４に収納される輸送品３に添付されたＩＣタグ２と、センサノード送受信器５と、ＩＣタグ送受信器６と、サーバ７と、を有する。
【００５２】
図示するゲート状のＩＣタグ送受信器６は、荷台８の後ろの扉付近に設置されている。例えば、荷台８から梱包体４を搬出する際に、各梱包体４のＩＣタグ２がＩＣタグ送受信器６に接近し、ＩＣタグ２とＩＣタグ送受信器６とが通信可能となる。そして、このタイミングで、図７に示すＩＣタグ２への環境情報の記録処理が行われる。
【００５３】
また、上記の実施形態における環境情報記録システムでは、１つのＩＣタグ送受信器６を有するものとした。しかしながら、環境情報記録システムは、複数のＩＣタグ送受信器６を有することとしてもよい。
【００５４】
図１０は、複数のＩＣタグ送受信器６を有する環境情報記録システムにおいて、各ＩＣタグ送受信器６が、環境情報をＩＣタグ２に書き込む処理を模式的に示した図である。複数のＩＣタグ送受信器６を使用することにより、大量の梱包体４が一度にＩＣタグ２の通信範囲内から通信範囲外に移動する場合であっても、全ても梱包体４の各ＩＣタグ２と通信することができる。あるいは、梱包体４が静止している状態で、常に全てのＩＣタグ２と通信可能な状態でいることもできる。すなわち、複数のＩＣタグ送受信器６を使用することにより大量のＩＣタグ２に対して、一度に環境情報を記録することができる。
【００５５】
また、本実施形態のセンサノード１は、所定のタイミングでセンサメッセージを、センサノード送受信器５に送信する（図６：Ｓ２）。しかしながら、センサノード１の通信範囲外にセンサノード送受信器５が存在する場合、センサノード１は、センサメッセージを一旦メモリ１３に記憶することとしてもよい。この場合、センサノード１はセンサノード送受信器５と通信が可能時に、メモリ１３に記憶されたセンサメッセージをセンサノード送受信器５に送信する。
【図面の簡単な説明】
【００５６】
【図１】本発明の一実施形態が適用された環境情報記録システムの全体構成図である。
【図２】センサノードの構成を示す図である。
【図３】サーバのハードウェア構成例を示す図である。
【図４】環境情報テーブルの一例を示す図である。
【図５】対応テーブルの一例を示す図である。
【図６】環境情報記録システムの処理フロー図である。
【図７】ＩＣタグへの環境情報の記憶処理の処理フロー図である。
【図８】ＩＣタグ送受信器がＩＣタグへ環境情報を記憶する処理を模式的に示した図である。
【図９】トラックに環境情報記録システムを搭載した場合の構成図である。
【図１０】複数のＩＣタグ送受信器がＩＣタグへ環境情報を記憶する処理を模式的に示した図である。
【符号の説明】
【００５７】
１：センサノード、１１：センサ、１２：ＣＰＵ、１３：メモリ、１４：無線通信モジュール、２：ＩＣタグ、３：輸送品、４：梱包体、５：センサノード送受信器、６：ＩＣタグ送受信器、７：サーバ、７１：処理部、７２：記憶部、７３：環境情報テーブル、７４：対応テーブル
【図１】
2006176295.tif 000003
【図２】
2006176295.tif 000004
【図３】
2006176295.tif 000005
【図４】
2006176295.tif 000006
【図５】
2006176295.tif 000007
【図６】
2006176295.tif 000008
【図７】
2006176295.tif 000009
【図８】
2006176295.tif 000010
【図９】
2006176295.tif 000011
【図１０】
2006176295.tif 000012